(57)【要約】      （修正有）【課題】従来のアナログ式又はデジタル式の時計に代わる時計を提供する。【解決手段】時計１は、「時」と「分」を表示する一連の小型ライト４とを備えた基板と、小型ライト４を制御するための電気式又は電子式コントローラ、から成り、小型ライト４が、リング５の円周上に広がって配置されている。複数の宝石８が保護ガラスの中に組み込まれていて、複数の宝石８がライト４の位置、例えば「時」の位置に配置されている。複数の宝石８は、望ましくは蛍光性ダイアモンドの形式の宝石８が例えば１５分を示す位置若しくは「分」などの位置に配置されていることを特徴とする。【選択図】図１
2012150099.tif 000002
【特許請求の範囲】
【請求項１】
主として、「時」を表示する一連の小型ライト（４）と「分」を表示する一連の小型ライト（４）とを備えた基板（３）と、「時」と「分」を表示するライトを制御するための電気式又は電子式コントローラ、から成ることを特徴とする時計。
【請求項２】
「時」についての一連の小型ライト（４）と「分」についての一連の小型ライト（４）が、「時」についてのリングと「分」についてのリングそれぞれの役割を含む１つのリングの円周上に広がって配置されていることを特徴とする請求項１に記載の時計。
【請求項３】
「時」についてのリング（５）の一連の小型ライト（４）と「分」についてのリング（５）の一連の小型ライト（４）は、前記リング（５）の円周上に均等に広がって配置されていることを特徴とする請求項２に記載の時計。
【請求項４】
前記の１つ又は複数のリング（５）が円形であることを特徴とする請求項２又は３に記載の時計。
【請求項５】
「時」を表示する１２個の小型ライトと、「分」を表示する６０個の小型ライトを備えていることを特徴とする、先行する請求項のいずれかに記載の時計。
【請求項６】
前記の複数の小型ライト（４）が発光ダイオード、すなわちＬＥＤで構成されていることを特徴とする先行する請求項のいずれかに記載の時計。
【請求項７】
「時」についてのリング（５）と「分」についてのリング（５）が同一であり、このリング（５）の複数の小型ライト（４）が「時」と「分」の両方を表示するために用いられることを特徴とする、先行する請求項のいずれかに記載の時計。
【請求項８】
前記の複数の小型ライト（４）は、多数の色によるＬＥＤ又は異なった強度で照光することができるＬＥＤで構成されていて、該小型ライト（４）は「時」を表示するか「分」を表示するかによって異なった色又は強度で照光することを特徴とする、先行する請求項のいずれかに記載の時計。
【請求項９】
前記複数の小型ライト（４）が保護ガラス（７）によって保護されていることを特徴とする、先行する請求項のいずれかに記載の時計。
【請求項１０】
前記保護ガラスが人造ダイアモンドで構成されていることを特徴とする、請求項９に記載の時計。
【請求項１１】
磨き加工された複数の宝石（８）が、上記保護ガラス７の中の「時」についての複数の小型ライト（４）及び／又は「分」についての複数の小型ライト（４）の位置に組み込まれていることを特徴とする、請求項９又は１０に記載の時計。
【請求項１２】
前記の磨き加工された複数の宝石（８）が蛍光性ダイアモンドであることを特徴とする、請求項１１に記載の時計。
【請求項１３】
前記の複数の小型ライト（４）が紫外線ＬＥＤで構成され、前記の磨き加工された複数の宝石（８）が紫外線蛍光のダイアモンドであることを特徴とする、請求項６及び１１に記載の時計。
【請求項１４】
前記時計（１）が腕時計であることを特徴とする、先行請求項のいずれかに記載の時計。
【請求項１５】
前記基板（３）が前記時計（１）のハウジング（２）の中に組み込まれていることを特徴とする、先行する請求項のいずれかに記載の時計。
【発明の詳細な説明】
【技術分野】
【０００１】
本発明は時計に関するものである。
【背景技術】
【０００２】
文字盤と、該文字盤の中心を貫通して突出する中心軸に固定された少なくとも２つの針を備えたアナログ式の時計はすでに知られている。
【０００３】
前記の２つの針は一つの機構によって前記中心軸を介して作動させ、それによってそれらの針は文字盤上で回転運動を行う。
【０００４】
一方の針は１２時間で１回転するものであって、時針と呼ばれている。該時針は該文字盤の円形に配列した１２個の標識に沿って動く。それら１２個の標識は全時間を表示し、文字盤上に数字、短い線及び／又はその他の記号で表示される。
【０００５】
もう一方の針は１時間に１回転するものであって、分針と呼ばれている。この針は、しばしば文字盤上にさらなる標識、一般的にはいくつもの短い線で表示された「分」を指し示すものである。
【０００６】
また、「時」と「分」が文字盤上に数字として表示されるデジタル式の時計も知られていて、デジタル式では「時」が「０」から「２３」までを含む数字又は「１」から「１２」までを含む数字として表示される。「分」は、適用可能な場合は「秒」についても、「０」から「５９」までを含む数字として表示される。
【０００７】
すでに知られているように、時計は機械的又は電気的な動力源からそのエネルギーを取り込むようにしてある。機械的な動力源としては錘又はバネがある。電気的動力源としては（蓄）電池又は太陽電池を採用することが可能である。
【０００８】
在来の時計の不都合な点は、暗闇で時刻を読み取ることが困難若しくは不可能なことである。
【０００９】
暗闇でそのような時計を使用することは、すでに知られている方法で照光手段を備えている場合にのみ可能である。
【００１０】
このような時計の不都合な点は、光を発する前に上記照光手段を作動させなければならず、そのことは暗い環境下では容易でないことである。
【００１１】
腕時計の場合は絶えず照光状態にしておくのは確かに適切でない。なぜならば、時計に動力を供給する動力源をあまりにも早く使い切ってしまうからである。
【００１２】
デジタル式の時計の不都合な点は、例えば日光が文字盤を照らしたり、或いはある種の型のデジタル式時計においては文字盤の数字が比較的小さかったりするため、常に時間が読み取りやすいとは限らないことである。
【発明の概要】
【００１３】
本発明の目的は、上記の幾つかの不都合な点の内の１つ及び／又はそれ以外の不都合な点についての解決を与えることにあり、従来のアナログ式又はデジタル式の時計に代わるものを具現化することにある。
【００１４】
この目的のため、本発明は、主として、「時」を表示する一連の小型ライトと、「分」を表示する一連の小型ライトとを備えた基板と、「時」と「分」を表示するライトを制御するための電気式又は電子式コントローラ、から成る時計に関するものである。
【００１５】
本発明による時計の有利な点は、暗闇でもはっきりと時刻が読み取れることである。
【００１６】
本発明のさらなる有利な点は、暗闇で文字盤の全体を読み取るために照光手段を設ける必要がなく、エネルギーをほとんど必要としない非常に小さな局所照明を設けるだけで十分なことである。
【００１７】
本発明による時計は、最小限度の数の稼動部品から成るものであり、このことは従来の機構による時計とは対照的である。このことによって、本発明による時計はメンテナンスがより少なくて済み、摩滅や損傷もないという有利な効果をもたらすのである。
【００１８】
本発明の好ましい特徴によれば、「時」についての一連の小型ライトと「分」についての一連の小型ライトが、「時」についてのリングと「分」についてのリングそれぞれの役割を含む１つのリングの円周上に広がって配置されている。
【００１９】
「時」についてのリングの一連のライトと「分」についてのリングの一連のライトは、前記リングの円周上に均等に広がっていて、１２個の小型ライトが「時」を表示し、６０個の小型ライトが「分」を表示するのが望ましい。
【００２０】
このように構成された時計の有利な点は、針を備えた従来のアナログ式時計と同じやり方で時刻が読み取れる、慣れ染みのある時計として人々に歓迎されることである。
【００２１】
本発明の別の望ましい特徴によれば、前記の小型ライトが発光ダイオード、すなわちＬＥＤで構成されていることである。
【００２２】
このように構成することの有利な点は、ＬＥＤがエネルギーをほとんど消費せず、長い寿命を有することである。
【００２３】
ＬＥＤを使用することのさらなる有利な点は、ライトの拡散が最小限に抑えられ、光による害が制限されることである。
【００２４】
本発明の特徴をより良く示すために、本発明による時計の望ましい実施例を添付図面を参照しながら以下に記載するが、それは如何なる限定もするものではなく、一つの例として記載するものである。
【図面の簡単な説明】
【００２５】
【図１】本発明による時計の平面図である。
【図２】図１におけるＩＩ−ＩＩ線による断面図である。
【発明を実施するための形態】
【００２６】
図１は、ここでは腕時計の形式で構成された時計１を示すものである。該時計１は、ハウジング２と、リング５（この実施例では円形のリング）の円周上に広がって配置された一連の小型ライト４を備えた基板３から成っている。さらに、腕時計バンド６が前記ハウジングに取り付けられていて、それによって時計１を腕に巻くことが出来る。
【００２７】
本発明による時計のさらに一般的な実施例においては、多くの連なった小型ライト４、すなわち「時」を表示する一連の小型ライト４と「分」を表示する一連の小型ライト４のそれぞれが前記基板上に配置される。もし適用可能であれば、該時計１は、「日」「月の位相」などを示すために、さらに１つ又はそれ以上の連なった小型ライト４によって拡張してもよい。
【００２８】
そのようなさらなる一般的な実施例においては、「時」についての一連の小型ライト４と「分」についての一連の小型ライト４が、「時」についてのリング５と「分」についてのリング５それぞれの役割を含む１つのリング５の円周上に広がって配置されている。
【００２９】
図１の実施例においては、「時」についてのリング５と「分」についてのリング５は同一である。この１つのリング５上に、この実施例ではＬＥＤの様式による合計６０個の小型ライト４を備えている。
【００３０】
この実施例においては、時計１についての合計６０個の小型ライトがリング５の円周上に均等に広がって配置されている。
【００３１】
図２に示したように、複数の小型ライト４は、時計１のハウジング２に固定された保護ガラス７によって保護されている。該保護ガラス７は人造ダイアモンドで構成するのが望ましい。
【００３２】
この実施例においては、磨き加工された複数の宝石が上記保護ガラス７の中に組み込まれていて、それによって複数の宝石８がライト４の位置、例えば図１に示したような「時」の位置に配置されている。そのような複数の宝石８、望ましくは蛍光性ダイアモンドの形式の複数の宝石８が例えば１５分を示す位置若しくは「分」などの位置のみで示されていることを、もちろん排除するものではない。
【００３３】
図２は、さらに、時計１がハウジング２内の基板３の下に配置させたコントローラ９を備えていることを示している。
【００３４】
本発明による時計１の動作は単純であり、以下の通りである。
【００３５】
リング５の１つの小型ライト４が従来のアナログ式時計の時針であれば指し示すであろう位置で常に照光するので、これによって何「時」なのかを全て確認できる。
【００３６】
同時に、リング５の１つの小型ライト４が従来のアナログ式の時計の分針であれば指し示すであろう位置で照光するので、これによって何「分」なのかを確認できる。
【００３７】
従って、本発明による時計１は、従来のアナログ式の時計と同じやり方で時刻を読み取ることができるのであり、違いは、時刻が時針と分針によってではなく、照光するライト４によって指し示されることである。
【００３８】
前記時計１の読み取りやすさを向上させるために、本発明においては前記の複数の小型ライト４は、多数の色によるＬＥＤ又は異なった強度で照光することができるＬＥＤで構成されている。このようにして、前記リング５の小型ライト４は「時」を表示するか「分」を表示するかによって異なった色又は強度で照光することになる。
【００３９】
例えば、前記ＬＥＤは、「時」を表示する色を赤色とし、「分」を表示する色を青色としてもよい。そうすると使用者はひと目見ただけで時計１を読み取ることができる。
【００４０】
前記複数の宝石８が蛍光性のあるダイアモンドである場合、それらのダイアモンドはＬＥＤによって照らされる時に魅力的な美的効果をもたらし、また時計の読み取りやすさもより向上したものになる。
【００４１】
本発明によれば、前記時計１において紫外線蛍光のダイアモンドを用いることも可能であり、その場合には紫外線ＬＥＤと組み合わせて用いる。
【００４２】
前記時計１のＬＥＤは基板３の下に設けたコントローラ９によって制御される。このコントローラ９は添付図面には示されていないバッテリーからそのエネルギーを取り込む。
【００４３】
「時」と「分」について用いることができる単一のリング５を用いる代わりに、本発明による別の可能な構成の仕方としてあるのは、２つのリングを設けて、それらの一方が「時」についてのリングとして、また他方は「分」についてのリングとして各々が別々に機能するように構成するものである。
【００４４】
前記のリングは必ずしも円形である必要はなく、楕円形、長方形、星型などのような他の形にしてもよい。
【００４５】
さらに別の実施例によれば、前記の複数のライトはリング状に配置する必要はなく、例えば、弓状又は直線状に配置してもよい。
【００４６】
本発明は、一例として明細書に記載し図面に示した実施例に限定されるものでは決してなく、本発明による時計は、その発明の範囲から遊離することなく、あらゆる種類のバリエーションで理解できるものである。
【図１】
2012150099.tif 000003
【図２】
2012150099.tif 000004
【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
主として、「時」を表示する一連の小型ライト（４）と「分」を表示する一連の小型ライト（４）とを備えた基板（３）と、「時」と「分」を表示するライトを制御するための電気式又は電子式コントローラ、から成ることを特徴とする時計。
【請求項２】
「時」についての一連の小型ライト（４）と「分」についての一連の小型ライト（４）が、「時」についてのリングと「分」についてのリングそれぞれの役割を含む１つのリングの円周上に広がって配置されていることを特徴とする請求項１に記載の時計。
【請求項３】
「時」についてのリング（５）の一連の小型ライト（４）と「分」についてのリング（５）の一連の小型ライト（４）は、前記リング（５）の円周上に均等に広がって配置されていることを特徴とする請求項２に記載の時計。
【請求項４】
前記の１つ又は複数のリング（５）が円形であることを特徴とする請求項２又は３に記載の時計。
【請求項５】
「時」を表示する１２個の小型ライトと、「分」を表示する６０個の小型ライトを備えていることを特徴とする、請求項１乃至４のいずれかに記載の時計。
【請求項６】
前記の複数の小型ライト（４）が発光ダイオード、すなわちＬＥＤで構成されていることを特徴とする請求項１乃至５のいずれかに記載の時計。
【請求項７】
「時」についてのリング（５）と「分」についてのリング（５）が同一であり、このリング（５）の複数の小型ライト（４）が「時」と「分」の両方を表示するために用いられることを特徴とする、請求項１乃至６のいずれかに記載の時計。
【請求項８】
前記の複数の小型ライト（４）は、多数の色によるＬＥＤ又は異なった強度で照光することができるＬＥＤで構成されていて、該小型ライト（４）は「時」を表示するか「分」を表示するかによって異なった色又は強度で照光することを特徴とする、請求項１乃至７のいずれかに記載の時計。
【請求項９】
前記複数の小型ライト（４）が保護ガラス（７）によって保護されていることを特徴とする、請求項１乃至８のいずれかに記載の時計。
【請求項１０】
前記保護ガラスが人造ダイアモンドで構成されていることを特徴とする、請求項９に記載の時計。
【請求項１１】
磨き加工された複数の宝石（８）が、上記保護ガラス７の中の「時」についての複数の小型ライト（４）及び／又は「分」についての複数の小型ライト（４）の位置に組み込まれていることを特徴とする、請求項９又は１０に記載の時計。
【請求項１２】
前記の磨き加工された複数の宝石（８）が蛍光性ダイアモンドであることを特徴とする、請求項１１に記載の時計。
【請求項１３】
前記の複数の小型ライト（４）が紫外線ＬＥＤで構成され、前記の磨き加工された複数の宝石（８）が紫外線蛍光のダイアモンドであることを特徴とする、請求項１１に記載の時計。
【請求項１４】
前記時計（１）が腕時計であることを特徴とする、請求項１乃至１３のいずれかに記載の時計。
【請求項１５】
前記基板（３）が前記時計（１）のハウジング（２）の中に組み込まれていることを特徴とする、請求項１乃至１４のいずれかに記載の時計。
【外国語明細書】
2012150099.tif 000005
2012150099.tif 000006
2012150099.tif 000007
2012150099.tif 000008
2012150099.tif 000009
2012150099.tif 000010
2012150099.tif 000011
2012150099.tif 000012
2012150099.tif 000013
2012150099.tif 000014
2012150099.tif 000015
2012150099.tif 000016
2012150099.tif 000017
2012150099.tif 000018